(57)【特許請求の範囲】
【請求項１】
シートフレームと、該シートフレームに張設されて着座者の身体を支える面状支持部材と、を有する乗物用シートであって、
前記面状支持部材は、前記シートフレームに対してシート幅方向とは垂直な直交方向に張設される可撓性の面状体と、該面状体の前記直交方向における少なくとも一方側の縁部に組み付けられて前記シートフレームに取り付けられる支持部材と、を有し、
前記面状体の前記支持部材により支持されたシート幅方向の支持領域のうち、前記面状体に着座者の体圧が掛けられた際に該体圧が局所的に高く掛けられる高体圧領域から前記直交方向に引張り応力の作用を受ける高引張り応力領域には、前記支持部材から受ける支持力を逃がす開口部が形成されており、
前記支持部材は、前記面状体の前記直交方向における少なくとも一方側の縁部にシート幅方向の中央部において分断されるように分割形成された左右一対の筒状の通し部に沿ってシート幅方向に個別に通される挿通部と、該挿通部の両端側部位から前記直交方向にアーチ状に湾曲した形で延び出して前記シートフレームにそれぞれ引っ掛けられるフック部と、を有する左右一対の構成で前記シートフレームに取り付けられる構成とされ、
前記開口部が、左右一対の前記通し部の前記高引張り応力領域に相当する各箇所において、前記引張り応力の作用方向とは反対方向に開口する形に形成されて前記支持部材から受ける支持力を逃がす構成とされている乗物用シート。
【請求項２】
請求項１に記載の乗物用シートであって、
前記開口部が前記通し部を前記開口する側から丸みのある形に切り抜いた形状とされている乗物用シート。
【請求項３】
請求項１または請求項２に記載の乗物用シートであって、
前記面状支持部材が、前記シートフレームを構成するシートクッションフレームに対して前後方向に張設されて着座者の身体を下側から支える構成とされ、
前記高体圧領域が、前記面状体における着座者の坐骨結節が位置する領域として設定されている乗物用シート。
【請求項４】
請求項３に記載の乗物用シートであって、
前記開口部が、前記面状体の前記高体圧領域と前後方向に並ぶ領域に形成されている乗物用シート。
【請求項５】
請求項２から請求項４のいずれかに記載の乗物用シートであって、
前記面状体の少なくとも後側の縁部に前記支持部材が組み付けられて前記開口部が形成されている乗物用シート。
【請求項６】
請求項５に記載の乗物用シートであって、
前記面状体の前後側の各縁部に前記支持部材がそれぞれ組み付けられて前記開口部が形成されており、前側の縁部に形成された前記開口部よりも後側の縁部に形成された前記開口部の方がシート幅方向の開口幅が広い形状とされている乗物用シート。
【請求項７】
請求項６に記載の乗物用シートであって、
前記面状体の前後側の各縁部に形成された前記各開口部と前記高体圧領域とが、互いに前後方向に真っ直ぐに整列した配置とされている乗物用シート。
【請求項８】
請求項１から請求項７のいずれかに記載の乗物用シートであって、
前記面状体が、均一組織を持つ布状に加工されたファブリック材により構成されている乗物用シート。
【発明の詳細な説明】
【技術分野】
【０００１】
本発明は、乗物用シートに関する。詳しくは、シートフレームと、シートフレームに張設されて着座者の身体を支える面状支持部材と、を有する乗物用シートに関する。
【背景技術】
【０００２】
従来、車両用シートにおいて、シートクッションの枠状に組まれたフレーム内にシートパッドを裏面側から支持する面状支持部材が架橋されたものが知られている（特許文献１）。上記面状支持部材は、可撓性の面状体と、面状体の左右両側の縁部に沿って前後方向に通された左右一対の支持ワイヤと、を有する構成とされている。上記各支持ワイヤは、それらの前後側の各縁部がそれぞれシートクッションの前後側の各フレーム枠に取り付けられて固定されている。上記構成により、面状体が左右一対の各支持ワイヤによって左右両側から引張られた状態としてシートクッションのフレームに架橋された状態とされている。
【先行技術文献】
【特許文献】
【０００３】
【特許文献１】特許第５４７６９４１号
【発明の概要】
【発明が解決しようとする課題】
【０００４】
上記従来技術では、面状体を支える各支持ワイヤに、面状体に適切な張設力を掛けられる剛性と、乗り心地に底付き感を生じさせない柔軟性と、を両立させた形で持たせる必要がある。しかし、そのような両立させる調整は難しく、面状支持部材に着座者の体圧分布に応じた最適な支持圧を部分ごとに設定することができない。本発明は、上記問題を解決するものとして創案されたものであって、本発明が解決しようとする課題は、面状支持部材の支持圧を着座者の体圧分布に応じて部分的に変更できるようにすることにある。
【課題を解決するための手段】
【０００５】
上記課題を解決するために、本発明の乗物用シートは次の手段をとる。
【０００６】
第１の発明は、シートフレームと、シートフレームに張設されて着座者の身体を支える面状支持部材と、を有する乗物用シートである。面状支持部材は、シートフレームに対してシート幅方向とは垂直な直交方向に張設され、可撓性の面状体と、面状体の上記直交方向における少なくとも一方側の縁部に組み付けられてシートフレームに取り付けられる支持部材と、を有する。面状体の支持部材により支持されたシート幅方向の支持領域のうち、面状体に着座者の体圧が掛けられた際に同体圧が局所的に高く掛けられる高体圧領域から上記直交方向に引張り応力の作用を受ける高引張り応力領域には、支持部材から受ける支持力を逃がす開口部が形成されている。
【０００７】
この第１の発明によれば、面状体に着座者の体圧が掛けられた際に、面状体を通じて支持部材に掛けられる引張り応力の作用が、面状体の高体圧領域から上記直交方向に引張り応力の作用を受ける高引張り応力領域において、同領域に形成された開口部により支持部材への伝達が逃がされて緩和される。よって、面状支持部材のシート幅方向の両側の縁部の支持圧を弱めることなく、上記直交方向において、着座者の高体圧領域近傍の支持圧を部分的に適切に緩和することができる。
【０００８】
第２の発明は、上述した第１の発明の構成において、次の構成とされているものである。支持部材は、面状体の上記直交方向における少なくとも一方側の縁部に形成された筒状の通し部に沿ってシート幅方向に通されてシートフレームに取り付けられる構成とされている。開口部が、通し部の高引張り応力領域に相当する箇所において、引張り応力の作用方向とは反対方向に開口する形に形成されて支持部材から受ける支持力を逃がす構成とされている。
【０００９】
この第２の発明によれば、面状体の支持部材が通される縁側の通し部の一部に、縁側に開口させる形で開口部を形成する簡単な構成により、面状体の本体部分の構造強度を損なうことなく、面状体の支持圧を部分的に適切に緩和することができる。
【００１０】
第３の発明は、上述した第２の発明において、次の構成とされているものである。開口部が通し部を開口する側から丸みのある形に切り抜いた形状とされている。
【００１１】
この第３の発明によれば、開口部を面状体に過大な引張り応力が掛けられても破れたり解れたりしにくい構成とすることができる。
【００１２】
第４の発明は、上述した第１から第３のいずれかの発明において、次の構成とされているものである。面状支持部材が、シートフレームを構成するシートクッションフレームに対して前後方向に張設されて着座者の身体を下側から支える構成とされている。高体圧領域が、面状体における着座者の坐骨結節が位置する領域として設定されている。
【００１３】
この第４の発明によれば、シートクッションにおける着座者の坐骨結節が位置する高体圧領域近傍の支持圧を部分的に適切に緩和することができる。
【００１４】
第５の発明は、上述した第４の発明において、次の構成とされているものである。開口部が、面状体の高体圧領域と前後方向に並ぶ領域に形成されている。
【００１５】
この第５の発明によれば、面状体の高体圧領域から支持部材に向かって前後方向に真っ直ぐに掛けられる引張り応力の作用を、上記高体圧領域と前後方向に並ぶ領域に形成された開口部によって適切に緩和することができる。
【００１６】
第６の発明は、上述した第３から第５の発明において、次の構成とされているものである。面状体の少なくとも後側の縁部に支持部材が組み付けられて開口部が形成されている。
【００１７】
この第６の発明によれば、着座者の坐骨結節に近い面状体の後側の縁部に開口部が形成されることで、高体圧領域近傍の支持圧をより適切に緩和することができる。
【００１８】
第７の発明は、上述した第６の発明において、次の構成とされているものである。面状体の前後側の各縁部に支持部材がそれぞれ組み付けられて開口部が形成されており、前側の縁部に形成された開口部よりも後側の縁部に形成された開口部の方がシート幅方向の開口幅が広い形状とされている。
【００１９】
この第７の発明によれば、面状体の前後側の各縁部に開口部が形成されることで、着座者の坐骨結節が位置する高体圧領域近傍の支持圧をより適切に緩和することができる。特に、着座者の坐骨結節に近い後側の開口部が前側の開口部よりも開口幅の広い形状とされることで、高体圧領域近傍の支持圧をより適切に緩和することができる。
【００２０】
第８の発明は、上述した第７の発明において、次の構成とされているものである。面状体の前後側の各縁部に形成された各開口部と高体圧領域とが、互いに前後方向に真っ直ぐに整列した配置とされている。
【００２１】
この第８の発明によれば、高体圧領域を前後側から真っ直ぐ挟み込むように面状体の前後側の各縁部に形成された各開口部によって、高体圧領域近傍の支持圧をより適切に緩和することができる。
【００２２】
第９の発明は、上述した第１から第８のいずれかの発明において、次の構成とされているものである。面状体が、均一組織を持つ布状に加工されたファブリック材により構成されている。
【００２３】
この第９の発明によれば、面状体として均一組織で構成される一般のファブリック材を適用しても、面状支持部材の支持圧を着座者の体圧分布に応じて部分的に簡便に変更することができる。
【図面の簡単な説明】
【００２４】
【図１】実施例１の乗物用シートの概略構成を表した斜視図である。
【図２】シートクッションの分解斜視図である。
【図３】面状支持部材のシートクッションフレームへの組み付け状態を表した拡大斜視図である。
【図４】図１のIV-IV線断面図である。
【図５】他の実施形態の概略構成を図３に対応した形で表した斜視図である。
【発明を実施するための形態】
【００２５】
以下に、本発明を実施するための形態について、図面を用いて説明する。
【実施例１】
【００２６】
始めに、実施例１のシート１（乗物用シート）の構成について、図１〜図４を用いて説明する。本実施例のシート１は、図１に示すように、自動車の右側座席として構成されており、着座者の背凭れ部となるシートバック２と、着座部となるシートクッション３と、を備えた構成となっている。上述したシートバック２は、その下端側の左右両側部が、シートクッション３の後端側の左右両側部に連結されて支持されている。シートクッション３は、車両のフロア上に、左右一対のスライドレール４を間に介して連結された状態とされている。これらスライドレール４を介した連結により、シート１は、フロア上における前後方向の位置を調節することができるようになっている。
【００２７】
また、上記シートクッション３は、上述した各スライドレール４との間に、左右一対のフロントリンク５Ａとリヤリンク５Ｂとによって４節リンク機構を構成するシートリフタ５を間に介して連結された状態とされている。上記シートリフタ５を介した連結により、シート１は、フロア上における高さ方向の位置も調整することができるようになっている。
【００２８】
上述したシートクッション３は、図２に示すように、その内部骨格を構成する平面視略四角枠状の形に組まれた金属製のクッションフレーム３Ｆと、クッションフレーム３Ｆの上部に組み付けられた発泡ウレタン製のクッションパッド３Ｐと、クッションパッド３Ｐに上方側から被せ付けられてシートクッション３の外観意匠面を形成する布製のクッションカバー３Ｃと、によって概略構成されている。また、上記クッションフレーム３Ｆの四角枠内には、その上部に組み付けられたクッションパッド３Ｐの中央領域を下方側から広く面で支持するように機能する面状支持部材１０が架橋されている。ここで、上述したクッションフレーム３Ｆが本発明の「シートフレーム」及び「シートクッションフレーム」に相当する。
【００２９】
上述したクッションフレーム３Ｆは、左右一対の前後方向に長尺な鋼板材から成るサイドフレーム３Ｆａと、これらサイドフレーム３Ｆａの前端部間に一体的に架橋された鋼板製のフロントパネル３Ｆｂと、各サイドフレーム３Ｆａの前部間に架け渡し状に設けられたフロントパイプ３Ｆｃと、各サイドフレーム３Ｆａの後部間に架け渡し状に設けられたリヤパイプ３Ｆｄと、によって平面視略四角枠状の形に組まれた構成とされている。
【００３０】
上述したフロントパイプ３Ｆｃは、上述したシートリフタ５を構成する左右一対のフロントリンク５Ａを各サイドフレーム３Ｆａに対してそれぞれ軸回転可能な状態に連結する各連結軸同士を一体的に繋ぐコネクティングロッドとして構成されている。また、リヤパイプ３Ｆｄは、上述したシートリフタ５を構成する左右一対のリヤリンク５Ｂを各サイドフレーム３Ｆａに対してそれぞれ軸回転可能な状態に連結する各連結軸同士を一体的に繋ぐコネクティングロッドとして構成されている。これらフロントパイプ３Ｆｃとリヤパイプ３Ｆｄは、それぞれ、シートリフタ５の稼動に伴う各フロントリンク５Ａとリヤリンク５Ｂのリンク運動に伴って、各サイドフレーム３Ｆａに対して軸回転する構成とされている。
【００３１】
クッションパッド３Ｐは、上述したクッションフレーム３Ｆの四角枠上に跨る形に組み付けられている。上記組み付けにより、クッションパッド３Ｐは、その周縁部がクッションフレーム３Ｆの各枠部によって下方側から強く支持されると共に、中央部がクッションフレーム３Ｆの枠内に架橋された面状支持部材１０によって下方側から広く面で支持された状態として、着座者の尻部や大腿部から受ける荷重を弾性的に安定支持することができるようになっている（図４参照）。
【００３２】
クッションカバー３Ｃは、上述したクッションフレーム３Ｆ上にセットされたクッションパッド３Ｐに上方側から被せ付けられると共に、その前後左右の各周縁部がクッションフレーム３Ｆの下部に引き込まれて止着された状態として設けられている。上記組み付けにより、クッションカバー３Ｃは、その張設に伴うテンションによりクッションパッド３Ｐをクッションフレーム３Ｆ上に位置固定した状態として保持するようになっている。
【００３３】
また、図２及び図３に示すように、面状支持部材１０は、ファブリック材から成る平面視略矩形状の面状体１１と、面状体１１の前後側の各縁部に組み付けられた鋼線材から成る前後側の各ワイヤ１２，１３と、によって構成されている。ここで、上述した各ワイヤ１２，１３が本発明の「支持部材」に相当する。上述した面状支持部材１０は、上述した面状体１１の前後側の各縁部に組み付けられた前後側の各ワイヤ１２，１３が、上述したクッションフレーム３Ｆの各サイドフレーム３Ｆａの前部間に架け渡し状に設けられたフロントパイプ３Ｆｃと後部間に架け渡し状に設けられたリヤパイプ３Ｆｄとにそれぞれ引掛けられて固定されることにより、これらの間に張設された状態として架橋されている。
【００３４】
上記組み付けにより、面状支持部材１０は、上述したフロントパイプ３Ｆｃとリヤパイプ３Ｆｄとがシートリフタ５の稼動に伴って軸回転しても、各ワイヤ１２，１３がこれらの軸回転を逃がせる形に引掛けられていることにより、これらの間に一定姿勢で架橋された状態として保持されるようになっている。
【００３５】
面状体１１は、着座者の荷重を受け止めることのできる高い引張り性能を備えた１枚のファブリック材により形成されている。具体的には、上記面状体１１は、緯糸が伸張性の低いＰＥＴ製樹脂から成り、経糸が緯糸よりは伸張性のあるＰＴＴ樹脂製から成る均一組織を持つ織物（編み物であってもよい）によって形成されている。上述した面状体１１には、図３に示すように、その前後側の各縁部に、各縁部を表側（図示上側）に折り返して筒状に袋織した通し部１１Ａ，１１Ｂが形成されている。各通し部１１Ａ，１１Ｂは、面状体１１の前後側の各縁部において、それぞれ、シート幅方向の中央部を残す左右２箇所に分かれて形成されている。すなわち、各通し部１１Ａ，１１Ｂは、面状体１１の前後側の各縁部において、それぞれ、シート幅方向の全域に亘って一様に連続した筒形状となって形成されているのではなく、シート幅方向の中央部において筒形状を途中で分断するように上方向と前後方向とに開口する形に切り抜かれた開口部１１Ａａ，１１Ｂａを有する形に２分割された構成とされている。
【００３６】
また、上述した各通し部１１Ａ，１１Ｂには、それらの左右に２分割された各筒状領域の中央付近にも、それぞれ、前後方向の各外縁側（前側或いは後側）から半月状に丸みを帯びた形で切り抜かれた開口部１１Ａｂ，１１Ｂｂが形成されている。これら開口部１１Ａｂ，１１Ｂｂは、各通し部１１Ａ，１１Ｂにおいてそれぞれ上下方向と前後方向の外縁側（前側或いは後側）とに開口した形となって形成されている。上記後側の左右の通し部１１Ｂに形成された各開口部１１Ｂｂは、前側の左右の通し部１１Ａに形成された各開口部１１Ａｂよりもシート幅方向の開口幅Ｗが広げられた形に形成されている。
【００３７】
また、上記前後側の各開口部１１Ａｂ，１１Ｂｂは、面状体１１に着座者の座圧が掛けられた際に着座者の坐骨結節が位置する左右の高体圧領域ＰＡから前後方向の引張り応力の作用を受ける各通し部１１Ａ，１１Ｂの高引張り応力領域に相当する箇所にそれぞれ形成されている。具体的には、各開口部１１Ａｂ，１１Ｂｂは、右側の領域に形成された前後側の各開口部１１Ａｂ，１１Ｂｂ同士を結ぶ線分Ｌ１と、左側の領域に形成された前後側の各開口部１１Ａｂ，１１Ｂｂ同士を結ぶ線分Ｌ２とが、それぞれ、左右の高体圧領域ＰＡ上を通る配置となる箇所に形成されている。より詳しくは、各開口部１１Ａｂ，１１Ｂｂは、右側の領域に形成された前後側の各開口部１１Ａｂ，１１Ｂｂ同士と左側の領域に形成された前後側の各開口部１１Ａｂ，１１Ｂｂ同士とが、互いに前後方向に真っ直ぐに整列した状態に配置されており、これらの各間に左右の高体圧領域ＰＡが前後方向に真っ直ぐ並んだ状態に位置するように配置された状態とされている。
【００３８】
一方、各ワイヤ１２，１３は、それぞれ、上述した面状体１１の前後側の各縁部に形成された対応する各通し部１１Ａ，１１Ｂの左右２箇所に分かれて形成された各領域内に個別に通されて組み付けられる左右一対の構成を備えた構成とされている。具体的には、左右一対の前後側の各ワイヤ１２，１３は、それぞれ、面状体１１の対応する各通し部１１Ａ，１１Ｂの左右２箇所に分かれて形成された各領域内にシート幅方向に通される挿通部１２Ａ，１３Ａと、各挿通部１２Ａ，１３Ａの両端側部位から前側或いは後側にアーチ状に湾曲した形で延び出すフック部１２Ｂ，１３Ｂと、を有した形状とされている。上述した左右一対の後側の各ワイヤ１３は、それぞれ、上述した各フック部１３Ｂの後側に延び出した先の各端部同士が互いに繋げられた形状とされている。上記構成により、後側の各ワイヤ１３は、それぞれ無端状のループ形状に形成された状態とされている。
【００３９】
上述した左右一対の前後側の各ワイヤ１２，１３は、上述したフロントパイプ３Ｆｃ又はリヤパイプ３Ｆｄに対して対応する各フック部１２Ｂ，１３Ｂが上側から引掛けられることにより、これらに対して脱落しない形に組み付けられた状態とされている。上述した各フック部１２Ｂ，１３Ｂには、それらの外周面に樹脂製の被膜材１２Ｃ，１３Ｃがコーティングされている。上記構成により、各フック部１２Ｂ，１３Ｂは、これらの引掛けられる対応するフロントパイプ３Ｆｃ又はリヤパイプ３Ｆｄとの接触部分に異音が発生しないように保護されている。
【００４０】
上記前後側の各ワイヤ１２，１３が通された面状体１１は、これらワイヤ１２，１３の挿通部１２Ａ，１３Ａが通されたシート幅方向の各領域において、各ワイヤ１２，１３の挿通部１２Ａ，１３Ａによって前後側からの強い支持力を受けて、着座者の荷重を強く受け止めることができる構成、すなわち高い支持圧を発揮することができる構成とされている。しかし、上記各ワイヤ１２，１３の挿通部１２Ａ，１３Ａが通された面状体１１の前後側の各通し部１１Ａ，１１Ｂには、それらの左右２箇所に分割された各領域の中央部に、上述した開口部１１Ａｂ，１１Ｂｂが形成されている。上記構成により、面状体１１の左右の高体圧領域ＰＡ近傍の支持圧が適切に緩和された状態とされている。
【００４１】
具体的には、面状体１１に着座者の座圧が掛けられた際に、面状体１１を通じて各通し部１１Ａ，１１Ｂ内に通された各ワイヤ１２，１３の挿通部１２Ａ，１３Ａに掛けられる前後方向の引張り応力の作用が、面状体１１の高体圧領域ＰＡから引張り応力の作用を受ける各通し部１１Ａ，１１Ｂの高引張り応力領域において、同領域に形成された開口部１１Ａｂ，１１Ｂｂにより各ワイヤ１２，１３の挿通部１２Ａ，１３Ａへの伝達が逃がされて緩和されるようになっている。したがって、上記高体圧領域ＰＡ以外の支持圧を適切に強められるように各ワイヤ１２，１３を支持剛性の高い太径のものにしたとしても、高体圧領域ＰＡの支持圧を簡便に緩和できるよう調整することができる。
【００４２】
また、上記のように面状体１１の前後側の各縁部に形成された各通し部１１Ａ，１１Ｂに、各ワイヤ１２，１３の挿通部１２Ａ，１３Ａを外部に露出させる開口部１１Ａｂ，１１Ｂｂが形成されることで、これら開口部１１Ａｂ，１１Ｂｂから外部に露出する各ワイヤ１２，１３の挿通部１２Ａ，１３Ａを、図示しないワイヤハーネス等の装備品を引掛けたりして取り付けるための取付部として機能させられるようになる。
【００４３】
以上をまとめると、本実施例のシート１は、次のような構成となっている。すなわち、シートフレーム（クッションフレーム３Ｆ）と、シートフレームに張設されて着座者の身体を支える面状支持部材（面状支持部材１０）と、を有する乗物用シート（シート１）である。面状支持部材は、シートフレームに対してシート幅方向とは垂直な直交方向（前後方向）に張設され、可撓性の面状体（面状体１１）と、面状体の上記直交方向における少なくとも一方側の縁部（両側の縁部）に組み付けられてシートフレームに取り付けられる支持部材（ワイヤ１２，１３）と、を有する。面状体の支持部材により支持されたシート幅方向の支持領域のうち、面状体に着座者の体圧が掛けられた際に同体圧が局所的に高く掛けられる高体圧領域（高体圧領域ＰＡ）から上記直交方向に引張り応力の作用を受ける高引張り応力領域には、支持部材から受ける支持力を逃がす開口部（開口部１１Ａｂ，１１Ｂｂ）が形成されている。このような構成とされていることにより、面状体に着座者の体圧が掛けられた際に、面状体を通じて支持部材に掛けられる引張り応力の作用が、面状体の高体圧領域から上記直交方向に引張り応力の作用を受ける高引張り応力領域において、同領域に形成された開口部により支持部材への伝達が逃がされて緩和される。よって、面状支持部材のシート幅方向の両側の縁部の支持圧を弱めることなく、上記直交方向において、着座者の高体圧領域近傍の支持圧を部分的に適切に緩和することができる。
【００４４】
また、支持部材（ワイヤ１２，１３）は、面状体（面状体１１）の上記直交方向における少なくとも一方側の縁部（両側の縁部）に形成された筒状の通し部（通し部１１Ａ，１１Ｂ）に沿ってシート幅方向に通されてシートフレーム（クッションフレーム３Ｆ）に取り付けられる構成とされている。開口部（開口部１１Ａｂ，１１Ｂｂ）が、通し部の高引張り応力領域に相当する箇所において、引張り応力の作用方向とは反対方向に開口する形に形成されて支持部材から受ける支持力を逃がす構成とされている。このような構成とされていることにより、面状体の支持部材が通される縁側の通し部の一部に、縁側に開口させる形で開口部を形成する簡単な構成により、面状体の本体部分の構造強度を損なうことなく、面状体の支持圧を部分的に適切に緩和することができる。
【００４５】
また、開口部（開口部１１Ａｂ，１１Ｂｂ）が通し部（通し部１１Ａ，１１Ｂ）を開口する側から丸みのある形に切り抜いた形状とされている。このような構成とされていることにより、開口部を面状体（面状体１１）に過大な引張り応力が掛けられても破れたり解れたりしにくい構成とすることができる。
【００４６】
また、面状支持部材（面状支持部材１０）が、シートフレームを構成するシートクッションフレーム（クッションフレーム３Ｆ）に対して前後方向に張設されて着座者の身体を下側から支える構成とされている。高体圧領域（高体圧領域ＰＡ）が、面状体（面状体１１）における着座者の坐骨結節が位置する領域として設定されている。このような構成とされていることにより、シートクッション（シートクッション３）における着座者の坐骨結節が位置する高体圧領域近傍の支持圧を部分的に適切に緩和することができる。
【００４７】
また、開口部（開口部１１Ａｂ，１１Ｂｂ）が、面状体（面状体１１）の高体圧領域（高体圧領域ＰＡ）と前後方向に並ぶ領域に形成されている。このような構成とされていることにより、面状体の高体圧領域から支持部材（ワイヤ１２，１３）に向かって前後方向に真っ直ぐに掛けられる引張り応力の作用を、上記高体圧領域と前後方向に並ぶ領域に形成された開口部によって適切に緩和することができる。
【００４８】
また、面状体（面状体１１）の少なくとも後側の縁部に支持部材（ワイヤ１２，１３）が組み付けられて開口部（開口部１１Ａｂ，１１Ｂｂ）が形成されている。このような構成とされていることにより、着座者の坐骨結節に近い面状体の後側の縁部に開口部が形成されることで、高体圧領域（高体圧領域ＰＡ）近傍の支持圧をより適切に緩和することができる。
【００４９】
また、面状体（面状体１１）の前後側の各縁部に支持部材（ワイヤ１２，１３）がそれぞれ組み付けられて開口部（開口部１１Ａｂ，１１Ｂｂ）が形成されており、前側の縁部に形成された開口部よりも後側の縁部に形成された開口部の方がシート幅方向の開口幅が広い形状とされている。このような構成とされていることにより、面状体の前後側の各縁部に開口部が形成されることで、着座者の坐骨結節が位置する高体圧領域（高体圧領域ＰＡ）近傍の支持圧をより適切に緩和することができる。特に、着座者の坐骨結節に近い後側の開口部が前側の開口部よりも開口幅の広い形状とされることで、高体圧領域近傍の支持圧をより適切に緩和することができる。
【００５０】
また、面状体（面状体１１）の前後側の各縁部に形成された各開口部（開口部１１Ａｂ，１１Ｂｂ）と高体圧領域（高体圧領域ＰＡ）とが、互いに前後方向に真っ直ぐに整列した配置とされている。このような構成とされていることにより、高体圧領域を前後側から真っ直ぐ挟み込むように面状体の前後側の各縁部に形成された各開口部によって、高体圧領域近傍の支持圧をより適切に緩和することができる。
【００５１】
また、面状体（面状体１１）が、均一組織を持つ布状に加工されたファブリック材により構成されている。このように、面状体として均一組織で構成される一般のファブリック材を適用しても、面状支持部材（面状支持部材１０）の支持圧を着座者の体圧分布に応じて部分的に簡便に変更することができる。
【００５２】
以上、本発明の実施形態を１つの実施例を用いて説明したが、本発明は上記実施例のほか各種の形態で実施することができるものである。例えば、本発明の「乗物用シート」は、自動車の右側座席以外のシートにも適用することができる他、鉄道等の自動車以外の車両や、航空機、船舶等の他の乗物用に供されるシートにも広く適用することができるものである。
【００５３】
また、本発明の構成は、シートクッションの他、シートバックやヘッドレストやオットマン等の他のシート構成部材に対しても適用することができるものである。なお、面状支持部材がシートバックに適用される場合には、「面状体に着座者の体圧が掛けられた際に該体圧が局所的に高く掛けられる高体圧領域」は、着座者の腰部や左右の肩甲骨が位置する領域となる。また、支持部材は、面状体の縁部に形成された筒状の通し部に沿って通されるタイプのワイヤから成るものの他、面状体の縁部に一体成形されたりして固定された状態に取り付けられる樹脂フック等の各種の係合部材から成るものであってもよい。
【００５４】
また、面状支持部材は、着座者の身体を弾性的に支持するシートパッドを介することなく着座者の身体を受け止めるように設けられるものであってもよい。また、面状体の対向する一対の各縁部に開口部が形成される場合において、これら開口部の開口幅は互いに同じであってもよいし、異なるようになっていてもよい。また、開口部の形状は、半月状等の丸みのある形に開口するものに限らず、三角形状や矩形状等の他の様々な形に開口するものであって構わない。
【００５５】
また、図５に示すように、面状体１１の前後側の各縁部において各ワイヤ１２，１３（支持部材）の通される通し部１１Ａ，１１Ｂが形成される構成において、これら前後側の各通し部１１Ａ，１１Ｂに形成される左右各側の各開口部１１Ａｂ，１１Ｂｂは、次のような位置に形成されていてもよい。すなわち、右側の領域に形成される前後側の各開口部１１Ａｂ，１１Ｂｂ同士を結ぶ線分Ｌ１と、左側の領域に形成された前後側の各開口部１１Ａｂ，１１Ｂｂ同士を結ぶ線分Ｌ２とが、それぞれ、対応する左右各側の坐骨結節が位置する高体圧領域ＰＡ上をシート幅方向に斜めに通るような配置とされているものであってもよい。このような構成であっても、右側の領域に形成された前後側の各開口部１１Ａｂ，１１Ｂｂ同士を結ぶ線分Ｌ１上と、左側の領域に形成された前後側の各開口部１１Ａｂ，１１Ｂｂ同士を結ぶ線分Ｌ２上とに、それぞれ、坐骨結節が位置する左右の高体圧領域ＰＡが位置する構成となる。したがって、面状体１１に着座者の座圧が掛けられた際に、面状体１１を通じて前後側の各ワイヤ１２，１３に掛けられる引張り応力の作用が、各開口部１１Ａｂ，１１Ｂｂによってワイヤ１２，１３への伝達が逃がされて緩和される。よって、着座者の坐骨結節が位置する高体圧領域近傍の支持圧を適切に緩和することができる。
【符号の説明】
【００５６】
１      シート（乗物用シート）
２      シートバック
３      シートクッション
３Ｆ    クッションフレーム（シートクッションフレーム）
３Ｆａ  サイドフレーム
３Ｆｂ  フロントパネル
３Ｆｃ  フロントパイプ
３Ｆｄ  リヤパイプ
３Ｐ    クッションパッド
３Ｃ    クッションカバー
４      スライドレール
５      シートリフタ
５Ａ    フロントリンク
５Ｂ    リヤリンク
１０    面状支持部材
１１    面状体
１１Ａ  通し部
１１Ａａ  開口部
１１Ａｂ  開口部（開口部）
１１Ｂ  通し部
１１Ｂａ  開口部
１１Ｂｂ  開口部（開口部）
１２    ワイヤ（支持部材）
１２Ａ  挿通部
１２Ｂ  フック部
１２Ｃ  被膜材
１３    ワイヤ（支持部材）
１３Ａ  挿通部
１３Ｂ  フック部
１３Ｃ  被膜材
ＰＡ    高体圧領域
Ｌ１，Ｌ２  線分
Ｗ      開口幅
【図１】
0006642097.tif 000002
【図２】
0006642097.tif 000003
【図３】
0006642097.tif 000004
【図４】
0006642097.tif 000005
【図５】
0006642097.tif 000006